(57)【要約】      （修正有）【課題】本発明は、夫々の台車が台車から物品を積込／積降するために選択的に起動され得る積込／積降装置とデジタル信号を受信し分析するように構成された電子ユニットとを有する複数の台車を有する選別機のための制御方法を提供する。【解決手段】夫々が誘導子を有する複数の積込ステーション９および複数の積降ステーション１０のある選別方向に沿って台車２を移動させるステップと、複数の動作モードから選択された１つの動作モードと一意的に関連付けられたデジタル信号を変調させる可変周波数を有する磁場を誘導子によって発生させるステップであって、デジタル信号がビットストリングを含んでいるステップと、電磁誘導によってデジタル信号を台車２の電子ユニットに伝送するステップと、電子ユニットにおいてデジタル信号を受信し、受信したデジタル信号と一意的に関連付けられた動作モードにしたがって積込／積降装置を起動させるステップとを有する。【選択図】図１
2019108227.tif 000002
【特許請求の範囲】
【請求項１】
複数の台車（２）を有する選別機（１）を制御するための方法であって、夫々の台車（２）が、該台車（２）から物品（Ｏ）を積込／積降するために選択的に起動され得る積込／積降装置（３）と、デジタル信号を受信し分析するように構成された電子ユニット（４）とを備える、方法において、
夫々が誘導子（１１）を有する複数の積込ステーション（９）および複数の積降ステーション（１０）のある選別方向（Ｘ）に沿って前記台車（２）を移動させるステップと、
複数の動作モードから選択された１つの動作モードと一意的に関連付けられた前記デジタル信号（２０）を変調させる可変周波数を有する磁場を前記誘導子（１１）によって発生させるステップであって、前記デジタル信号（２０）がビットストリングを有するステップと、
電磁誘導により、前記デジタル信号（２０）を前記台車（２）の前記電子ユニット（４）に伝送するステップと、
前記電子ユニット（４）において前記デジタル信号（２０）を受信し、前記電子ユニット（４）から受信した前記デジタル信号（２０）と一意的に関連付けられた前記動作モードにしたがって積込／積降装置（３）を起動するステップと、
を含む方法。
【請求項２】
前記複数の動作モードの夫々が実行すべき機能およびパラメータセットを含む、請求項１に記載の方法。
【請求項３】
前記実行すべき機能が、前記台車（２）への積込、前記台車（２）からの積降、前記台車（２）上に位置設定された前記物品（０）のセンタリング、特殊機能の中から選択され、該特殊機能には、パラメータの伝送、前記台車（２）と関連付けすることのできる起動−起動解除用構成要素および周辺機器のための指令の伝送、固定されているおよびユーザにより予め設定されている可能性のあるパラメータセットにより特徴付けられる前記特殊機能の実行、のうちの１つが含まれる、請求項２に記載の方法。
【請求項４】
前記パラメータセットが、前記積込／積降装置の積込／積降方向（Ｙ）との関係における積込／積降方向、前記積込／積降装置（３）の起動速度、前記積込／積降装置（３）の加速および／または減速、選択された機能の実行の開始に先立つ時間遅延、機能の持続時間のうちの少なくとも１つを含む、請求項２又は３に記載の方法。
【請求項５】
前記ビットストリングが２４ビットである、請求項１〜４の何れか一項に記載の方法。
【請求項６】
前記デジタル信号（２０）のビットの論理状態を決定するために前記磁場の前記周波数を変調させるステップを含む、請求項１〜５の何れか一項に記載の方法。
【請求項７】
前記論理状態「０」に関連付けられた前記磁場の前記周波数が３ｋＨｚ〜８ｋＨｚであり、好ましくは５ｋＨｚに等しく、前記論理状態「１」に関連付けられた前記磁場の前記周波数が４７ｋＨｚ〜５３ｋＨｚであり、好ましくは５０ｋＨｚに等しい、請求項６に記載の方法。
【請求項８】
前記デジタル信号（２０）が２ｍｓ〜３ｍｓ、好ましくは２．４ｍｓの持続時間の矩形パルス列からなり、夫々のパルスが１ｍｓ〜２ｍｓ、好ましくは１．５ｍｓの休止時間だけ隣接パルスから離隔されている、請求項１〜７の何れか一項に記載の方法。
【請求項９】
前記複数の積込ステーション（９）又は前記複数の積降ステーション（９）に対して、前記台車（２）の前記電子ユニット（４）から信号を伝送するために、該信号の前記転送方向を反転させるステップを含む、請求項１〜８の何れか一項に記載の方法。
【請求項１０】
前記デジタル信号（２０）が周波数シフトキーイング変調ダイヤグラムを用いて変調される、請求項１〜９の何れか一項に記載の方法。
【請求項１１】
複数の台車を含む選別機において、
夫々の台車（２）が、
該台車（２）から物品（Ｏ）を積込／積降するために選択的に起動され得る積込／積降装置（３）と、
デジタル信号（２０）を受信し分析するように構成された電子ユニットであって、前記デジタル信号（２０）が、ビットストリングを有し、該ビットストリングに一意的に関連付けられた複数の動作モードから選択された一動作モードの一機能として前記積込／積降装置（３）を作動させる電子ユニットと、
を備える選別機。
【請求項１２】
選別方向（Ｘ）に沿って位置付けされた複数の積込ステーション（９）及び複数の積降ステーション（１０）を備え、夫々の積込ステーション（９）及び積降ステーション（１０）が、前記デジタル信号（２０）を変調させる可変周波数を有する磁場を発生させるように設計されたそれぞれの誘導子（１１）を有する、請求項１１に記載の選別機。
【請求項１３】
前記誘導子（１１）が３ｋＨｚ〜５５ｋＨｚの周波数を有する磁場を発生させるように構成されている、請求項１２に記載の選別機。
【請求項１４】
前記積込／積降装置（３）がコンベヤベルトを有する、請求項１１〜１３の何れか一項に記載の選別機。
【請求項１５】
前記電子ユニット（４）が、前記デジタル信号（２０）を変調させる可変周波数を有する磁場を発生させるように構成されており、夫々の積込ステーション（９）又は積降ステーション（１０）が、ビットストリングを有する前記デジタル信号を受信し分析するように構成されている、請求項１１〜１４の何れか一項に記載の選別機。
【発明の詳細な説明】
【技術分野】
【０００１】
本発明は、選別システムの技術分野に関する。より具体的には、本発明は、選別機を制御する方法および関連する選別機に関する。
【背景技術】
【０００２】
本発明は、「クロスベルト」タイプの選別システム、すなわち、積込ステップおよび目的場所における積降中に必要なさまざまな機能に応じて、主としてシステムの送り方向に直交する方向で、上に位置付けされている物体を移動させるように構成されたコンベヤベルトが夫々の台車に装備されているシステム上で実装するために特に好適である。
【０００３】
より詳細には、クロスベルトタイプの選別機は、選別すべき物品を台車上に積込むように設計されている積込ステーションおよび、物品を積降し、概して蓄積させて、このように選別された材料の目的場所までの分配および配送に関する作業を行なう作業員の仕事を効率の良いものにする積降ステーションに並行する閉回路を占有しこれに沿って移動する台車の列で構成されている。
【０００４】
この特定のタイプの選別機において、台車には、物品を収容し選別するための機械の運動方向と直角を成す方向に電動モータによって起動され得るコンベアベルトが装備されている。
【０００５】
積込ステーションの目的は、積込まれつつある物品の軌道を決定して、物品を収容するように設計された選別機の台車の運動とこの軌道を同期化し、このようにして、物品を正確な時間および速度で搭載移送できるようにすることにある。
【０００６】
一方で、概して積降ステーションは、収集および保管用シュート、またはローラ保管用コンベヤで構成されている。すなわち、コンテナ、台車内または宅配業者の場合には直接配達手段内に選別済み荷物を移送する作業員の作業効率を高めるために保管機能が必要である。
【０００７】
あらゆる瞬間において夫々の台車の経路に沿った位置を知っている選別機の制御システムによって、ベルト起動のためのさまざまなタイプの指令が生成される。
【０００８】
選別機の制御システムには、そのエンコーダを構成する一群のセンサが装備されており、これを用いて制御システムは経路に沿った選別機の基本的順方向運動を測定する。
【０００９】
したがって、積込積降ステーションと個別の台車の間の正確な同期を可能にし、こうして、適時に夫々の台車のコンベアベルトを起動させることによって、選別すべき物品が正しく積込／積降されることを保証するように、特にシステム内での情報の伝達に関して、このタイプの機械およびシステムにいかに高い精度レベルが求められるかは明白である。
【００１０】
さまざまなタイプの動作モードが満たさなければならないニーズを定義した後、ここで、クロスベルトタイプの選別機の台車のベルトの起動を制御するために自動選別部門において応用されたさまざまな技術的解決法についての簡単な説明が提供される。
【００１１】
選別機を制御するための最初の技術的解決法は、変調された赤外光の発出を通した非接触通信に基づくものである。すなわち、搭載型制御ユニットが、例えば積込／積降などの所要の機能を実行するための指令をモータに与えることができるようにするパラメータの値を伴うメッセージを伝達するのに充分な時間にわたり制御すべき台車に搭載された好適な電子ユニットとの光学アライメントが可能になるような形で、選別機のスライディングトラック上に、制御装置が位置付けされる。
【００１２】
この解決法は、光学アライメントの短い時間的間隔内での大きなデータ伝送能力のため、充分な融通性を可能にし、個別のサーボモータの直接的指令を可能にし；こうして単純性という特徴を有するが、これは、光パルスによる伝送が容易に、例えば日光または人工光などの環境による擾乱を受けることから、予防および是正保全を必要とする。
【００１３】
制御方法は同様に、塵埃、紙片および湿気に起因して不明瞭になりやすく、赤外線エミッタは、同様に、経時的劣化も著しく被り、これは効率レベルに有意にもマイナスの影響を及ぼし得る。
【００１４】
第２の技術的解決法は、無線伝送、詳細には、夫々通信装置を装備したおよそ１００メートルの長さのセグメントに分割された、選別機の経路全体をカバーする穴付き同軸ケーブルを通した短距離伝送に基づくものである。
【００１５】
この解決法は、工業的自動化部門における移動体動作ユニット上でフィールドバス通信規格の拡張を可能にするための商業規格として利用可能である。
【００１６】
この場合、実用性および経済性の理由から、選別機の台車は、台車の列に分割され、ここで、列のための一つの台車に、この台車に対応するケーブルセグメントの通信装置との通信および処理用装置が装備されている。
【００１７】
受信された指令は、デコーディングされ、列を構成する個別の台車上に組付けられたモータのさまざまなサーボドライブに分配される。
【００１８】
この解決法は、制御システムと夫々の台車列の間の事実上連続的な通信が可能であるため、大きな融通性を可能にする。すなわち、この解決法によると、台車の位置に関連する制約無く、積込または積降軌道を動的に変更すること、任意の所要動作速度に容易に適応すること、そして、個別の台車のベルトの起動を決定するさまざまなパラメータの値を容易に変更することが可能である。
【００１９】
しかしながら、システムの特徴を考えると、この解決法は、選別機について応用するには、極めて複雑で高コストである。
【００２０】
その上、台車の処理および通信装置に障害があれば、対応する台車列全体の損失の原因となり、したがって、長期にわたることすらあるシステム全体の停止を必要とし得る緊急保全作業の実施が必要になることが考えられる。
【００２１】
台車との連続的通信を可能にする別の技術的解決法は、選別機の経路全体に沿って位置付けされた導体バー上を摺動するピックアップを通したメッセージの伝送に基づくものである。すなわち、この解決法はすでに長年にわたり使用されてきており、結果として摩耗するために接点の定期的交換を必要とするが、それでもなお、充分に実用的かつ経済的である。
【００２２】
これらの場合において、導体バーおよびスライディングピックアップは同様に、サーボモータに動力供給するために必要とされる電気を取込むためにも使用される。
【００２３】
この解決法は事実上先の解決法と同じ融通性の観点から見た利点を有し、選別機に対する応用に関しては、より低いコストを可能にするが、障害が発生した場合、台車列全体を失う可能性および複雑性に起因する同じ欠点も有する。
【００２４】
その上、スライディングピックアップは、特に摩耗を受け、時として、現在の選別機の高い動作速度に起因する不具合をこうむる。
【００２５】
したがって、この解決法は、連続的な予防制御保全と共に、スライディングピックアップの交換のための是正保全を必要とする。
【００２６】
最後に、モータの回転方向ひいては台車の送り方向との関係における台車の積込／積降方向を定義付ける値を有する２つの考えられる周波数のうちの一方の周波数を有する変調された磁場を発出することのできる選別機のスライディングトラック上に設置された指令誘導子を用いた、基本起動接点指令無しの伝送用磁気誘導原理を使用する、特許文献１に基づく先行技術の解決法が存在する。
【００２７】
この解決法は単純なものであるため、高度の信頼性および容易な保全を可能にするが、指令の基本的伝送はパラメータ値を許容しないことから、融通性が欠けるため、利用分野が限定される結果となる。
【００２８】
しかしながら、この解決法は、特に、多くの場合出力端で製品を蓄積するかまたは一定の製品の特徴に適応するために選別軌道を変動させることが必要である、非常に限定された空間内に非常に多くの選別目的地が概して存在する、荷物選別部門、郵便部門および物流販売部門においては、それほど高い性能を発揮しない。
【００２９】
多くの場合において、選別機が少なくとも２つの異なる動作速度で動作できることも一般的に求められている。
【００３０】
これらの場合においては、先の要件は一部しか満たされない可能性があり、こうして、構造上の複雑性およびシステムのコストは増大する。
【先行技術文献】
【特許文献】
【００３１】
【特許文献１】欧州特許第１２１６９３８号明細書
【発明の概要】
【発明が解決しようとする課題】
【００３２】
このような状況において、本発明の基礎を成す技術的目的は、先行技術の上述の欠点の少なくとも一部を克服する選別機のための制御方法を提供することにある。
【００３３】
より具体的には、本発明の目的は、選別システムの異なる利用状況に容易に適応するような形で調整が容易な異なる作動パラメータで複数の機能を実行することを可能にするより大きな融通性および汎用性を提供できる選別機制御方法を提供することにある。
【課題を解決するための手段】
【００３４】
指示されている技術的目的および規定された目的は、添付のクレームの１つ以上に記載されている技術的特徴を有する選別機のための制御方法により、実質的に達成される。
【００３５】
本発明は、夫々の台車が、台車から物品を積込／積降するために選択的に起動され得る積込／積降装置とデジタル信号を受信し分析するために構成された電子ユニットとを有する、複数の台車を備える選別機を制御するための方法を記述する。
【００３６】
この方法は、以下のステップを有する。すなわち、
夫々が誘導子を有する複数の積込／積降ステーションのある選別方向に沿って台車を移動させるステップと、
台車の複数の考えられる動作モードから選択された１つの動作モードと一意的に関連付けられたデジタル信号、特にビットストリングを有するデジタル信号を変調させる可変周波数を有する磁場を誘導子によって発生させるステップと、
電磁誘導により、デジタル信号を台車の電子ユニットに伝送するステップと、
電子ユニットにおいてデジタル信号を受信し、電子ユニットから受信したデジタル信号と関連付けられた動作モードにしたがって積込／積降装置を起動させるステップと、を有する。
【００３７】
本発明の別の目的は、複数の台車を有する選別機において、夫々の台車が、台車から物品を積込／積降するために選択的に起動され得る積込／積降装置と、デジタル信号を受信し分析するために構成された電子ユニットであって、デジタル信号がビットストリングを含み、デジタル信号を用いて受信されたビットストリングに一意的に関連付けられた一動作モードの一機能として積込／積降装置を作動させる電子ユニットと、を備える選別機を提供することにある。
【００３８】
本発明のさらなる特徴および利点は、添付図面に例示されている選別機のための制御方法の好ましい非限定的な実施形態を参照しながら、以下の説明の中でより明白になり、図面は次の通りである。
【図面の簡単な説明】
【００３９】
【図１】選別機の図を示す。
【図２】選別機の台車を詳細に示す、図１の細部である。
【図３】選別機の積込ステーションを詳細に示す、図１の細部である。
【図４】選別機の積降ステーションを詳細に示す、図１の細部である。
【図５】台車上に組付けられた電子ユニットおよび台車と結合された積込ステーションまたは積降ステーションの誘導子を示す。
【図６】磁場を変調させることによりデジタル信号を発生させる一実施例を示す。
【図７ａ】積込機能に対応する考えられる実行モードを示す。
【図７ｂ】積降機能に対応する考えられる実行モードを示す。
【発明を実施するための形態】
【００４０】
図１を参照すると、符号１は概して、同様に台車２に組付けられているモータ８により動作させられ得る積込／積降装置３および電子ユニット４を備えた複数の台車２を有する選別機を表わしている。
【００４１】
図２に詳しく例示されている夫々の台車２は同様に、連続的な台車の列が沿って移動する主選別方向「Ｘ」を画定する閉鎖経路７上に位置付けされた連続する列を形成するように、ホイール６を備え、かつ、隣接台車と回転可能な形で連結されているフレーム５も含んでいる。
【００４２】
好ましい一実施形態によると、積込／積降装置２は、選別方向に直交する積込／積降方向「Ｙ」に位置設定されたコンベアベルトの形で作られている。
【００４３】
代替的には、積込／積降装置３は、例えば傾斜している可能性のある平面を用いて作製されてよい。
【００４４】
図５に詳細に示されている電子ユニット４は、好ましくは、選別方向「Ｘ」に沿った台車２のサイズよりもわずかに短い長さの、詳細には選別方向「Ｘ」に沿った台車２のサイズの４５％〜５５％の長さを有するプリント回路上に形成された巻線４ａと、デジタル信号２０を受信し処理し、かつ、必要であれば生成することのできる電子基板４ｂとで構成される受信用要素を含んでいる。
【００４５】
より具体的には、夫々の台車２は、７００ｍｍ〜９００ｍｍの長さを有していてよく、好ましくは、夫々の台車２は８００ｍｍの長さを有し、巻線４ａは３５０ｍｍ〜４００ｍｍ、好ましくは３８０ｍｍの最大長を有する。
【００４６】
選別機１は同様に、選別方向「Ｘ」に沿って、詳細には閉鎖経路６に並行して位置付けされて、台車２の積込／積降装置３の起動により物品「Ｏ」を積込ステーションから台車２上に積込みし、同じ物品「Ｏ」を台車から積降ステーション１０に積降しすることが可能になっている、図３および４に詳細に示された複数の積込ステーション９と複数の積降ステーション１０とを含んでいる。
【００４７】
夫々のステーション９、１０は、好ましくは３ｋＨｚ〜５５ｋＨｚの可変周波数を有する磁場を発生させるように設計された誘導子１１を有する。
【００４８】
より具体的には、誘導子は、３ｋＨｚ〜８ｋＨｚ、好ましくは５ｋＨｚの周波数を有する第１の磁場２１ａ及び４７ｋＨｚ〜５３ｋＨｚ、好ましくは５０ｋＨｚの周波数を有する第２の磁場２１ｂを発生させるように構成されている。
【００４９】
磁気誘導に関するファラデーの法則によると、閉鎖ライン内で磁場によって誘導される起電力は、閉鎖ラインにより限定された表面を通した場の磁束の単位時間あたりの変動の逆に等しい。
【００５０】
誘導子１１ａが、発生した磁場の周波数を変調させて１つの値からもう１つの値に移行させた場合、この場と同じ周波数変調で変動し電子基板４ｂにより読取り、解釈および作動させられる電気信号が、電子ユニット４の巻線４ａ内で生成される。
【００５１】
誘導による磁気結合を通した通信により、選別機の全ての利用分野に必要とされる動作モードを達成するために必要なパラメータをエンコーディングする制御メッセージの伝送が可能となり、これにより必要な融通性が得られ、誘導磁気結合を通した通信のロバスト性、信頼性、低コストおよび容易な保全という特徴が同時に保証される。
【００５２】
より具体的には、誘導子１１と台車２のモータ８を制御する制御ユニット４との間の誘導磁気結合を通して伝送される指令は、既定の長さおよび構造を有するデジタル信号２０からなり、ここで、図６に示されているように、メッセージの個別ビットの考えられる論理状態は、２つの既定の周波数のうちの１つにおいて誘導子１１により変調された磁場により生成される信号２１の発出を通してコーディングされる。
【００５３】
非限定的な例としてここで説明されている好ましい実施形態において、これらの周波数は、３ｋＨｚ〜８ｋＨｚの範囲内、好ましくは５ｋＨｚ、および４７ｋＨｚ〜５３ｋＨｚの範囲内、好ましくは５０ｋＨｚである。
【００５４】
より具体的には、好ましくは前述のように行なわれる選別機１の制御方法は、夫々誘導子１１を有する複数の積込ステーション９および積降ステーション１０が両側にある選別方向「Ｘ」に沿って連続的な台車の列を移動させるステップを有する。
【００５５】
換言すると、選別機１の一使用構成において、夫々の台車は、選別方向「Ｘ」を画定する閉鎖経路７に沿って移動させられ、積込ステーション９および積降ステーション１０に並行して通過し、こうして連続的に、第１のステーションに由来する物品フローを収容しそれを第２のステーションに搬送することができるようにしている。
【００５６】
この方法は、台車２により実行され得る考えられる機能およびこれらの機能を特徴付けるパラメータに関係する複数の動作モードから選択された１つの動作モードに一意的に関連付けられたデジタル信号２０を変調させるために可変周波数を有する磁場を誘導子１１によって発生させるステップを有する。
【００５７】
その結果として、複数の動作モードのうちの夫々の動作モードは、１つの実行すべき機能およびこの機能を作動させる上で従う一組のパラメータを含み、定義付けすることになる。
【００５８】
より具体的には、台車２により実行され得る考えられる機能の例としては、台車２の積込、台車２の積降、積込／積降装置３上で輸送される物品「Ｏ」のセンタリング、がある。
【００５９】
一連の特殊な動作、すなわち厳密に積込／積降動作に関連していないものの効率を改善するのに有用である動作、例えば選別機１の動作パラメータの伝送、台車２に結び付けられ得る起動−起動解除用構成要素および周辺機器のための指令の伝送、固定されているおよびユーザにより予め設定されている可能性のあるパラメータセットによって特徴付けされる特殊機能の実行、も同様に実行可能である。
【００６０】
個別の機能を修正し特徴付けするためにその中からの選択が可能であるパラメータセットには、例えば以下のようなパラメータが含まれる。すなわち、積込／積降装置３の回転方向、積込／積降装置３の回転速度、積込／積降装置３の加速および／または減速、選択された機能の実行開始に先立つ時間遅延、機能の持続時間。
【００６１】
図７ａおよび７ｂは、本発明に係る制御方法によって実装可能な考えられる動作モードのうちの２つに関係する速度プロファイルをより詳細に示す。
【００６２】
より具体的には、図７ａは、物品「Ｏ」を搭載するよう積込むために台車２上の積込／積降装置３を起動する指令が、速度値を受信し、その後速度値を恒常な値１４に維持して、安定性を最大限にする形で積込／積降装置３の中心に向かって物品「Ｏ」を持っていくことを促進するような加速値での加速ステップ１３を求めている、台車２に積込むための機能１２を示している。
【００６３】
最後に、物品「Ｏ」の運動量を段階的に削減して滑りを防止し、したがって、結果として積込／積降装置３から落下するリスクを無くするための減速ステップ１５が存在する。
【００６４】
その上、積込ステーション９との関係における入力軌道を効率良く調整して、選別機１が異なる速度で動作できる利用分野を達成できるように、指令の受信とその実際の実行との間の可変的遅延を入力できることが有用である。
【００６５】
一方で、図７ｂに詳細に示されている台車２から積降するための機能の場合には、搭載された物品「Ｏ」を積降するために台車上の積込／積降装置３を起動するための指令は、物品「Ｏ」が滑らないようにするため、ひいては選別された物品「Ｏ」に繰返し可能で、それらの重量とは無関係な出力軌道を与えるように速度を恒常値１８に維持する加速度値での加速ステップが求めている。最後に、積込／積降装置３は、既定のデフォルト減速値１９を適用することによって停止される。
【００６６】
さらに、同じくこの場合においては、選別機１が異なる速度で動作できる利用分野を達成するために、積降ステーション１０との関係における出力軌道を効率良く調整することができるように、指令の受信とその実際の実行の間の可変的遅延を入力できることが有用である。
【００６７】
上述の実施例は、本発明に係る選別機１および制御方法の動作をより明確にする目的で例示されている、実装可能な考えられる動作モードのいくつかを表わしているにすぎず、したがって、実行可能な機能およびその作動のためのパラメータセットの両方の観点から見て網羅的かつ限定的なリストとしてみなされるべきものではないという点を指摘しておかなければならない。
【００６８】
このとき、前記方法は、磁気誘導を用いて台車２、特にデジタル信号２０を生成した誘導子１１を有する積込ステーション９または積降ステーション１０に隣接する台車２の電子ユニットに対してデジタル信号２０を伝送するステップを有する。
【００６９】
デジタル信号２０は、台車２の電子ユニット４において受信され、受信されたデジタル信号２０に一意的に関連付けられた動作モードにしたがって、積込／積降装置３の起動をひき起こす。
【００７０】
所望の動作モードを実行するために必要な全ての情報を正確に伝送するために、デジタル信号２０はビットストリング、好ましくは２４ビットのストリングを含み、これを用いて、機能ひいてはこの機能を実行する上で従うべき動作パラメータの選択に関する全ての情報がコーディングされる。
【００７１】
ストリングを作り上げる個別のビットの論理状態を定義付けするために、誘導子は、論理状態「０」と結び付けられて３ｋＨｚ〜８ｋＨｚの範囲内、好ましくは５ｋＨｚで、論理状態「１」に結び付けられて４７ｋＨｚ〜５３ｋＨｚの範囲内、好ましくは５０ｋＨｚで磁場を変調するように構成されている。
【００７２】
したがって、伝送された「メッセージ」の２４ビットは、実際には、それらが互いに１つの休止により隔離されたゼロまたは単位からなるという事実に基づいて、５または５０ｋＨｚの２４個の変調パルスの「列」で構成されている。
【００７３】
より具体的には、磁場の周波数変調により生成されるデジタル信号２０は、２ｍｓ〜３ｍｓ、好ましくは２．４ｍｓの信号時間２３と呼ばれる持続時間の矩形パルス列２２からなり、ここで、夫々のパルスは、１ｍｓ〜２ｍｓ、好ましくは１．５ｍｓの休止時間２４によって隣接パルスから離隔されている。
【００７４】
概して、エラーを有するまたは正しく伝送／受信されなかったデジタル信号２０が実行されないように保証するデジタル信号２０の有効性に関する制御が存在する。
【００７５】
１ビットの正しい受信を確認するためには、この特定のビットに関係する磁場の変調は、例えば２ｍｓ超の精確な既定の持続時間を有していなければならない。
【００７６】
同様にして、休止時間２４の正しい獲得を保証するためには、この変調は、例えば１ｍｓ超の精確な既定の持続時間を有していなければならない。
【００７７】
休止時間が例えば２ｍｓ超といった充分に長い期間にわたる場合、これは、伝送２５の終りの標示として解釈され、それはデジタル信号２０が完了し、完全に伝送され、したがってその中に含まれる情報の実行開始が可能であることを表わす。
【００７８】
伝送の完了時点で、エラーを回避するためにはなお、デジタル信号２０の無欠性をチェックし、ストリング中に含まれたビットの数が計画された数、すなわちここで一例として提示された事例では２４ビットと整合することをチェックする必要がある。
【００７９】
受信されストリング内に含まれるビットの数が２４より多いかまたは少ないことが発見された場合には、デジタル信号２０は無視されるということは明白である。
【００８０】
特に、原点でエラーが発生した場合、すなわち、デジタル信号２０の伝送中にすでにエラー、例えば正しくない論理値を有するビットが検出された場合、誘導子１１は、さらなるビットの伝送をひき起こすように構成されており、したがってこれによりストリングは上述の有効性基準と相容れないものとなるという点を指摘しておくべきである。
【００８１】
有利には、デジタル信号２０の伝送方向を逆転して、このデジタル信号が電子ユニット４から、既定の瞬間において台車２に隣接するステーション９、１０の誘導子１１に向かって伝送されるようにすることも同様に可能である。
【００８２】
換言すると、夫々のステーション９、１０から夫々の台車におよびその逆にデータ／情報の伝送を行なうことが可能であり、こうして、選別機１の汎用性は増大され、例えば電子ユニット４のファームウェアの更新などの複雑な動作でさえ実行することが可能になる。
【００８３】
この目的で、電子ユニット４は、デジタル信号を変調する可変周波数を有する磁場を発生させるように構成されており、夫々の積込ステーション９及び夫々の積降ステーション１０は、ビットストリングを有するデジタル信号２０を受信し分析するように構成されている。
【００８４】
有利には、本発明に係る制御方法は、先行技術の上述の問題を克服することを可能にする。
【００８５】
実際、マルチビット制御信号の導入によって、選別機１をより汎用性のあるものかつ多数の状況および考えられる異なる用途に容易に適応可能なものにすることが可能となる。
【００８６】
個別の台車からおよび個別の台車に対して多数の情報を伝送することができるため、多様な機能の実行が可能になり、これらの機能について、作動パラメータセットを選択することも同様に可能である。
【００８７】
こうして、例えば搬送すべき物品「Ｏ」の重量またはサイズなどの特徴を変更することが必要であるか、または選別機１またはこの選別機が中で動作しているシステムを拡張、修正または更新するための動作が行なわれる場合には、機械自体についての複雑でコストのかかる構造的作業を必要とすることなく、最大の効率をつねに保証するためにデジタル信号２０のコンテンツを修正するだけで充分であると考えられる。
【図１】
2019108227.tif 000003
【図２】
2019108227.tif 000004
【図３】
2019108227.tif 000005
【図４】
2019108227.tif 000006
【図５】
2019108227.tif 000007
【図６】
2019108227.tif 000008
【図７ａ】
2019108227.tif 000009
【図７ｂ】
2019108227.tif 000010
【外国語明細書】
2019108227000001.pdf